(57)【要約】【課題】  内部に中空部を有する床上に立設された柱を確実に支持することができる柱の支持構造を提供する。【解決手段】  床１上の柱７には、床１を上下に貫通する貫通部材１１ｃの上端部が連結されており、この貫通部材１１ｃの下端部が連結プレート１５に連結され、この連結プレート１５が水平支持部材４の側面に固定されているので、柱７を貫通部材１５ｃ、連結プレート１５を介して水平支持部材４によって支持することができる。したがって、中空部１ａを有する床１上に立設された柱７を水平支持部材４によって確実に支持することができる。【選択図】        図２
2005023746.tif 000002
【特許請求の範囲】
【請求項１】
内部に中空部を有する床上に、柱が支持された柱の支持構造であって、
前記床は、大引や根太等の水平支持部材によって下方から支持されており、
前記床には、貫通部材が上下に貫通されており、この貫通部材の上端部が前記柱に連結されており、
前記貫通部材の下端部が連結プレートに連結されており、この連結プレートは前記水平支持部材の側面に固定されていることを特徴とする柱の支持構造。
【請求項２】
請求項１に記載の柱の支持構造において、
前記連結プレートは、前記床の下面に設けられる水平板部と、この水平板部に直角に形成され、前記水平支持部材の側面に固定される垂直板部とを備えていることを特徴とする柱の支持構造。
【請求項３】
請求項２に記載の柱の支持構造において、
前記水平板部には前記水平支持部材と直交する方向に対して長尺な長穴が形成されており、
この長穴に前記貫通部材の下端部が挿通されたうえで、前記水平板部に連結されていることを特徴とする柱の支持構造。
【請求項４】
請求項２または３に記載の柱の支持構造において、
前記水平板部と垂直板部との間には、補強板部が設けられていることを特徴とする柱の支持構造。
【請求項５】
請求項１〜４のいずれか一項に記載の柱の支持構造において、
前記柱は筒状の柱本体と、この柱本体の下端部に挿入固定された固定部材とを備えており、
前記貫通部材の上端部が前記固定部材に連結されていることを特徴とする柱の支持構造。
【請求項６】
請求項１〜５のいずれか一項に記載の柱の支持構造において、
前記床と柱のうち、少なくとも一方は、セルロース系微粉粒と樹脂とを混合して押出成形したものであることを特徴とする柱の支持構造。
【発明の詳細な説明】
【技術分野】
【０００１】
本発明は、デッキ等の床上に柱を立設した状態で支持する柱の支持構造に関するものである。
【背景技術】
【０００２】
デッキ等の床上に柱を立設した状態で支持する柱の支持構造の一例として、特許文献１に記載の技術が知られている。
【０００３】
この技術は、中空部を有する床材の上部に接合手段を介して柱材が接合された接合構造であり、接合手段を、床材の上下にそれぞれ設けられた床上部材と床下部材と、床材に挿通されて床上部材と床下部材とを連結することにより、該床上部材と床下部材とを床材に、それを挟持した状態で固定する連結部材と、床上部材に設けられ、柱材に固定される柱固定部とを備え、この柱固定部に柱材３を固定したものである。
【０００４】
このような構造によって、柱材は、床下部材を介して前記床材に強固に取り付けられていることにより、床材により形成される床版の周縁部以外のところに柱を設けることができ、床材に設けられた柱材を十分支持することができる。また、床材が中空部を有するものであっても、前記柱材を前記床材に強固に取り付け付けることができる。
【特許文献１】特開２００１−１１５５４８号公報
【発明の開示】
【発明が解決しようとする課題】
【０００５】
ところが、上記公報に記載の技術では、以下のような解決すべき課題があった。すなわち、中空の床材を貫通する連結部材の上端部に設けられた柱固定部に柱部材を固定し、連結部材の下端部にプレート状の床下部材を連結しているので、柱を確実に支持するために、床下部材を大きくする必要がある。特に、床材が中空であり、中実のものに比して強度が低いので、柱材の重量が重くなればなるほど、床下部材を大きくして、柱材を確実に支持する必要があった。
【０００６】
本発明は上記事情に鑑みてなされたものであり、内部に中空部を有する床上に立設された柱を確実に支持することができる柱の支持構造を提供することを課題としている。
【課題を解決するための手段】
【０００７】
上記課題を解決するために、請求項１に記載の発明は、例えば図１、図２、図６等に示すように、内部に中空部１ａを有する床１上に、柱７が支持された柱の支持構造であって、
前記床１は、大引４や根太等の水平支持部材４によって下方から支持されており、
前記床１には、貫通部材（例えばボルト）１１ｃが上下に貫通されており、この貫通部材１１ｃの上端部が前記柱７に連結されており、
前記貫通部材１１ｃの下端部が連結プレート１５に連結されており、この連結プレート１５は前記水平支持部材（大引）４の側面に固定されていることを特徴とする。
【０００８】
請求項１に記載の発明によれば、床１上の柱７には、床１を上下に貫通する貫通部材１１ｃの上端部が連結されており、この貫通部材１１ｃの下端部が連結プレート１５に連結され、この連結プレート１５が水平支持部材４の側面に固定されているので、柱７を貫通部材１５ｃ、連結プレート１５を介して水平支持部材４によって支持することができる。したがって、中空部１ａを有する床１上に立設された柱７を水平支持部材４によって確実に支持することができる。
【０００９】
請求項２に記載の発明は、例えば図２、図７、図８等に示すように、請求項１に記載の柱の支持構造において、
前記連結プレート１５は、前記床１の下面に設けられる水平板部１５ａと、この水平板部１５ａに直角に形成され、前記水平支持部材４の側面に固定される垂直板部１５ｂとを備えていることを特徴とする。
【００１０】
請求項２に記載の発明によれば、水平板部１５ａを床１の下面に設け、垂直板部１５ｂを水平支持部材４の側面に固定することによって、柱７に作用する力を、貫通部材１１ｃ、水平板部１５ａ、垂直板部１５ｂを介して確実に水平支持部材４の側面で受けることができる。したがって、より確実に柱７を水平支持部材４によって支持することができる。
【００１１】
請求項３に記載の発明は、例えば図２、図７、図８等に示すように、請求項２に記載の柱の支持構造において、
前記水平板部１５ａには前記水平支持部材４と直交する方向に対して長尺な長穴１５ｃが形成されており、
この長穴１５ｃに前記貫通部材１１ｃの下端部が挿通されたうえで、前記水平板部１５ａに連結されていることを特徴とする。
【００１２】
請求項３に記載の発明によれば、水平板部１５ａには大引４と直交する方向に対して長尺な長穴１５ｃが形成されており、この長穴１５ｃにボルト１１ｃの下端部が挿通されているので、長穴１５ｃの長さの分だけ、連結プレート１５をスライドさせて、その位置を調整できる。したがって、柱７の立設位置、つまり、ボルト１１ｃの位置に応じて連結プレート１５をスライドさせて、その垂直板部１５ｂを確実に大引４の側面に固定できる。よって、１種類の連結プレート１５で、柱７の位置に応じた対応ができる。
【００１３】
請求項４に記載の発明は、例えば図９に示すように、請求項２または３に記載の柱の支持構造において、
前記水平板部１５ａと垂直板部１５ｂとの間には、補強板部１５ｅ，１５ｅが設けられていることを特徴とする。
【００１４】
請求項４に記載の発明によれば、柱７から貫通部材１１ｃを介して水平板部１５ａに伝達される力を補強板部１５ｅ，１５ｅによってより確実に垂直板部１５ｂに伝達できるので、柱７をより強固に支持することができる。
【００１５】
請求項５に記載の発明は、図２〜図５等に示すように、請求項１〜４のいずれか一項に記載の柱の支持構造において、
前記柱７は筒状の柱本体１０と、この柱本体１０の下端部に挿入固定された固定部材１１とを備えており、
前記貫通部材１１ｃの上端部が前記固定部材１１に連結されていることを特徴とする。
【００１６】
請求項５に記載の発明によれば、柱本体１０の下端部に挿入固定された固定部材１１に、貫通部材１１ｃの上端部が連結されているので、柱本体１０が中空のものであっても、柱７を確実に支持できる。
【００１７】
請求項６に記載の発明は、請求項１〜５のいずれか一項に記載の柱の支持構造において、
前記床１と柱７のうち、少なくとも一方は、セルロース系微粉粒と樹脂とを混合して押出成形したものであることを特徴とする。
【００１８】
ここで、前記セルロース系微粉粒とは、例えば、廃材等の木材の粗粉砕物、バカスの祖粉砕物、稲藁の粗粉砕物等における各種植物細胞体の原料材粗粉砕物を出発原料とし、これを磨砕処理することによって得ることができる。
【００１９】
磨砕処理とは、粉砕処理と研磨処理とを併せ持つ処理を言うものであり、これら粉砕処理と研磨処理とを同時に行う処理であっても、粉砕処理を行った後、研磨処理を行う二工程からなる処理であってもよい。すなわち、ここで言う磨砕処理とは、後述するように、粗粉砕物から微粉砕物にする粉砕処理と、微粉際された粉粒を、繊維状態のものが絡み合い、その表面が繊毛で覆われている状態の粉粒形状から、表面に繊毛が少ない状態となるように表面研磨する研磨処理とを併せた処理を指している。
【００２０】
前記セルロース系微粉粒は、上記のように磨砕処理により粒径状に形成されることで、通常の木粉のような繊毛上の突出部分が少なくなり、水（湿気を含む）や溶剤などを吸着しにくくなっている。
【００２１】
また、前記樹脂とは、硬質樹脂や軟質樹脂のことであり、塩化ビニル樹脂、発泡塩化ビニル樹脂、ポリエチレン樹脂、ポリプロピレン樹脂、フェノール樹脂、ウレタン樹脂、ポリウレタン樹脂、ＡＢＳ樹脂、ポリスチレン樹脂等が用いられるが、中でも塩化ビニル樹脂、ポリエチレン樹脂、ポリプロピレン樹脂が、成形部材を形成するには好適である。また、樹脂は廃材の樹脂から得るようにしてもよい。
【００２２】
請求項６に記載の発明によれば、床１と柱７のうち少なくとも一方がセルロース系微粉粒と樹脂とを混合して押出成形したものであるので、これら床１や柱７に防水性、防腐性や木質感を付与することができる。
【発明の効果】
【００２３】
以上説明したように、請求項１に記載の発明によれば、床を貫通する貫通部材の上端部が柱に連結されており、この貫通部材の下端部が連結プレートに連結され、この連結プレートが水平支持部材の側面に固定されているので、柱を貫通部材、連結プレートを介して水平支持部材によって支持することができる。したがって、中空部を有する床上に立設された柱を水平支持部材によって確実に支持することができる。
【００２４】
請求項２に記載の発明によれば、柱に作用する力を、貫通部材、水平板部、垂直板部を介して確実に水平支持部材の側面で受けることができ、よって、より確実に柱を水平支持部材によって支持することができる。
【００２５】
請求項３に記載の発明によれば、水平板部に形成された長穴の長さの分だけ、連結プレートをスライドさせて、その位置を調整できるので、柱の立設位置に応じて連結プレートをスライドさせて、その垂直板部を確実に大引の側面に固定できる。よって、１種類の連結プレートで、柱の位置に応じた対応ができる。
【００２６】
請求項４に記載の発明によれば、柱から貫通部材を介して水平板部に伝達される力を補強板部によってより確実に垂直板部に伝達できるので、柱をより強固に支持することができる。
【００２７】
請求項５に記載の発明によれば、柱本体の下端部に挿入固定された固定部材に、貫通部材の上端部が連結されているので、柱本体が中空のものであっても、柱を確実に支持できる。
【００２８】
請求項６に記載の発明によれば、床と柱のうち少なくとも一方がセルロース系微粉粒と樹脂とを混合して押出成形したものであるので、これら床や柱に防水性、防腐性や木質感を付与することができる。
【発明を実施するための最良の形態】
【００２９】
以下、図面を参照して本発明の実施の形態について説明する。
【００３０】
図１は、本発明に係る柱の支持構造を備えたデッキと、このデッキ上に設けられたフェンスを示すものである。この図において、符号１はデッキ（床）を示す。このデッキ１は、住宅等の建物に隣接して設置されたものであり、例えば建物の開口部から住人等が出入りできるようなものである。
【００３１】
床１は、木質の廃材から得られたセルロース系微粉粒と樹脂廃材から得られた樹脂とを混合して押出成形したものであり、その内部には中空部１ａを有している。中空部は押出し成形の際に形成されるものであり、図１に示す床１では左右方向に延在して形成されている。なお、図示は省略するが床は、複数の床材を並設することによって構成されている。床材は押出成形によって形成された帯板状のものであり、その内部には中空部を有している。
【００３２】
床１の下方には、独立基礎２が複数設置されており、各独立基礎２には床束３が立設されている。この床束３は、独立基礎２に設置される束本体３ａとこの束本体３ａの上端部に設けられた受部３ｂとを備えており、束本体３ａは上下に長さが調整可能となっている。受部３ｂは、図２に示すように、断面Ｌ字状に形成されたものであり、その内側に大引（水平支持部材）４が挿入されたうえで、該大引４を支持している。なお、大引４はビス５によって受部３ｂに固定されている。
【００３３】
大引４はアルミニウムで形成された四角筒状をなすものであり、図１において紙面直交する方向に延在している。本実施の形態では、大引４が４本あり、これら大引４によって床１が下方から支持されている。なお、大引４を支持する床束３は大引４の長手方向に沿って所定間隔で複数設けられている。
【００３４】
なお、床１の外周部には、垂下壁１ｂが取付けられており、この垂下壁１ｂによって大引４や受部３ｂを隠すようになっている。この垂下壁１ｂも床１と同様に、木質の廃材から得られたセルロース系微粉粒と樹脂廃材から得られた樹脂とを混合して押出成形したものであり、内部には中空部を有している。
【００３５】
また、床１上には、図１に示すように、柱７が複数立設されており、隣り合う柱７，７間にフェンス８が配置され、該フェンス８は柱７，７によって支持されている。フェンス８は、柱７，７の上端部間と下端部間とにそれぞれ架設された上梁材８ａ、下梁材８ｂと、これら上下の梁材８ａ，８ｂ間に配置されて該梁材８ａ，８ｂに取付けられた格子状のフェンス本体８ｃとによって構成されている。なお、フェンス８を構成する上下の梁材８ａ，８ｂや、フェンス本体８ｃを構成する上下左右に組まれた格子材も木質の廃材から得られたセルロース系微粉粒と樹脂廃材から得られた樹脂とを混合して押出成形したものである。
【００３６】
柱７は図１に示すように、床１の外周を囲むようにして床１の上面外周部に所定間隔で立設されている。柱７は柱本体１０と、この柱本体１０の下端部に挿入固定された固定部材１１とを備えて構成されている。
【００３７】
柱本体１０は四角筒状に形成されたものであり、その上端開口部には蓋が設けられている。柱本体１０は木質の廃材から得られたセルロース系微粉粒と樹脂廃材から得られた樹脂とを混合して押出成形したものである。また、蓋も同様の素材から形成されている。
【００３８】
固定部材１１は、金属で形成されたものであり、床１の外周部のうち角部以外に立設される柱用のものと、角部に立設される柱用のものの２種類がある。
【００３９】
角部以外に立設される柱用の固定部材１１は、図３および図４に示すように、基板１１ａと、この基板１１ａの対向する辺部にそれぞれ基板１１ａと直角に、かつ互いに平行に形成された一対の取付板１１ｂ，１１ｂとを備えて構成されている。
【００４０】
基板１１ａは柱本体１０の中空部の横断面とほぼ形状が等しい矩形板状のものであり、孔が複数形成され、これら孔のうち４つの孔にはそれぞれボルト１１ｃが挿通されている。このボルト１１ｃの軸部は基板１１ａから突出しており、ボルト１１ｃの頭部が基板１１ａに溶接によって固定されている。ボルト１１ｃは後述するように、床１を上下に貫通する貫通部材として機能するもであり、固定部材１１の基板１１ａに溶接固定によって連結されている。
【００４１】
取付板１１ｂは矩形板状のものであり、その中央部にはスリット１１ｄが上下に延在して形成されている。取付板１１ｂは、固定部材１１を柱本体１０の下端部に挿入した際に、柱本体１０の互いに対向する内側面に当接するか近接するものであり、ボルト１２が螺合するための孔１１ｅ，１１ｅがスリット１１ｄを挟んで形成されている。
【００４２】
そして、上記のような構成の固定部材１１は、図１に示すように、床１の角部以外の外周部に立設される柱本体１０の下端部に挿入されている。この場合、取付板１１ｂ，１１ｂは柱本体１０の互いに対向する内側面に当接または近接しており、基板１１ａは柱本体１０の下端面とほぼ面一になっている。
【００４３】
また、柱本体１０の互いに対向する側面にそれぞれ形成された孔からはボルト１２が挿通され、このボルト１２が前記取付板１１ｂに形成された孔１１ｅに螺合することによって、固定部材１１が柱本体１０に固定されている。
【００４４】
また、床１の外周角部に立設される柱用の固定部材１１は、図５に示すように、上記と同様の基板１１ａと、この基板１１ａの互いに直角な２辺部にそれぞれ基板１１ａと直角に、かつ互いに直角形成された一対の取付板１１ｂ，１１ｂとを備えて構成されている。
【００４５】
取付板１１ｂは、上記と同様の矩形板状のものであり、固定部材１１を柱本体１０の下端部に挿入した際に、柱本体１０の互いに直交する内側面に当接するか近接するものであり、ボルト１２が螺合するための孔１１ｅ，１１ｅがスリット１１ｄを挟んで形成されている。
【００４６】
そして、上記のような構成の固定部材１１は、図１および図２に示すように、床１の角部に立設される柱本体１０の下端部に挿入されている。この場合、取付板１１ｂ，１１ｂは柱本体１０の互いに直交する内側面に当接または近接しており、基板１１ａは柱本体１０の下端面とほぼ面一になっている。
【００４７】
また、柱本体１０の互いに直交する側面にそれぞれ形成された孔からはボルト１２が挿通され、このボルト１２が前記取付板１１ｂに形成された孔１１ｅに螺合することによって、固定部材１１が柱本体１０に固定されている。
【００４８】
上記のような構成の柱７は、図６に示すように、その下端部から４本のボルト１１ｃが突出しており、これらボルト１１ｃが床１に貫通される。すなわち、床１の柱７が立設される部位には、４つの孔１ｃが形成されており、該孔１ｃに前記ボルト（貫通部材）１１ｃが挿通されている。このボルト１１ｃは床１を上下に貫通しており、このボルト（貫通部材）１１ｃの下端部が連結プレート１５に連結されている。
【００４９】
連結プレート１５は、図２、図７および図８に示すように、断面略Ｌ事情に形成されたものであり、水平板部１５ａと、この水平板部１５ａの端部に直角に形成された垂直板部１５ｂとを備えて構成されている。
【００５０】
水平板部１５ａは、床１の下面に設けられるものであり、垂直板部１５ｂと直交する方向に対して長尺な一対の長穴１５ｃ，１５ｃが互いに平行に形成されている。
【００５１】
垂直板部１５ｂは、前記大引（水平支持部材）４の側面に固定されるものであり、４つの孔１４ｄが形成されている。
【００５２】
上記のような連結プレート１５は、図２および図６に示すように、その水平板部１５ａを床１の下面に当接したうえで、その長穴１５ｃ，１５ｃに前記ボルト（貫通部材）１１ｃ…の下端部を挿通し、該ボルト１１ｃにワッシャ１６を外挿したうえでナット１７を螺合して締め込むことによって、床１の下面に固定されるとともに、ボルト１１ｃ…に連結されている。
【００５３】
また、連結プレート１５の垂直板部１５ｂは、前記大引（水平支持部材）４の側面に当接されたうえで、４つの孔１５ｄにビス１８を挿通して大引４にねじ込むことによって、大引４の側面に固定されている。
【００５４】
上記のような柱の支持構造を施工する場合、まず、柱本体１０に固定部材１１を取付けることによって柱７を形成する一方で、床１の柱７を立設する部位に孔１１ｃを予め形成しておく。
【００５５】
柱７を立設する部位は、平面視において大引４の近傍に設定する。
【００５６】
そして、柱７を所定の位置に部位に立設する際に、その下端部から突出しているボルト１１ｃを、床１に形成された孔１ｃに挿通することによって、該ボルト１１ｃが床１を上下に貫通する。
【００５７】
次に、柱７を立設した位置に対向する床１の下面に、連結プレート１５の水平板部１５ａを当接するとともに、床１の下面から突出しているボルト１１ｃを水平板部１５ａの長穴１５ａに挿通する。
【００５８】
次に、連結プレート１５を床１の下面に沿って、大引側にスライドさせて、垂直板部１５ｂを大引４の側面に当接したうえで、垂直板部１５ｂの孔１５ｄに挿通して大引４にねじ込むことによって、大引４の側面に固定する。
【００５９】
最後に、水平板部１５ａの長穴１５ｃから突出しているボルト１１にワッシャ１６を外挿したうえでナット１７を螺合して締め込むことによって、床１の下面に水平板部１５ａを固定するとともに、ボルト１１ｃ…に連結する。
【００６０】
このようにして施工された柱の支持構造によれば、床１上の柱７には、床１を上下に貫通するボルト（貫通部材）１１ｃの上端部が連結されており、このボルト１１ｃの下端部が連結プレート１５に連結され、この連結プレート１５が大引（水平支持部材）４の側面に固定されているので、柱７をボルト１１ｃ、連結プレート１５を介して大引４によって支持することができる。したがって、中空部１ｃを有する床１上に立設された柱７を大引４によって確実に支持することができる。
【００６１】
また、連結プレート１５は、水平板部１５ａと垂直板部１５ｂとを備えているので、水平板部１５ａを床１の下面に設け、垂直板部１５ｂを大引４の側面に固定することによって、柱１に作用する力を、ボルト１１ｃ、水平板部１５ａ、垂直板部１５ｂを介して確実に大引４の側面で受けることができる。したがって、より確実に柱１を大引４によって支持することができる。
【００６２】
さらに、水平板部１５ａには大引４と直交する方向に対して長尺な長穴１５ｃが形成されており、この長穴１５ｃにボルト１１ｃの下端部が挿通されているので、長穴１５ｃの長さの分だけ、連結プレート１５をスライドさせて、その位置を調整できる。したがって、柱７の立設位置、つまり、ボルト１１ｃの位置に応じて連結プレート１５をスライドさせて、その垂直板部１５ｂを確実に大引４の側面に固定できる。よって、１種類の連結プレート１５で、柱７の位置に応じた対応ができる。
【００６３】
また、柱７が筒状の柱本体１０と、この柱本体１０の下端部に挿入固定された固定部材１１とを備えており、この固定部材１１のボルト１１ｃの上端部が固定部材１１の基板１１ａに連結されているので、柱本体１０が中空のものであっても、柱７を確実に支持できる。
【００６４】
加えて、床１、床１の外周部に設けられた垂下壁１ｂ、フェンス８、柱７等がセルロース系微粉粒と樹脂とを混合して押出成形したものであるので、これらに防水性、防腐性や木質感を付与することができる。
【００６５】
なお、本実施の形態では、柱７のボルト１１ｃの下端部を連結し、かつ、大引４の側面に固定するものとして連結プレート１５を使用したが、この連結プレート１５に換えて、図９に示すような連結プレート２０を使用してもよい。
【００６６】
この連結プレート２０は、水平板部１５ａと垂直板部１５ｂとの間に、左右一対の補強板部１５ｅ，１５ｅを一体的に設けたものである。これら補強板１５ｅ，１５ｅは水平板部１５ａと垂直板部１５ｂとの両端部間においてそれぞれ設けられている。
【００６７】
このような連結プレート２０では、柱７からボルト１５ｃを介して水平板部１５ａに伝達される力を補強板部１５ｅ，１５ｅによってより確実に垂直板部１５ｂに伝達できるので、柱７をより強固に支持することができる。
【００６８】
また、本実施の形態では、本発明の柱の支持構造を、住宅等の建物に隣接して設けられるデッキ１と、そのデッキ１に立設されてフェンスが取付けられる柱７に適用した場合を例にとって説明したが、本発明の柱の支持構造はこれに限ることなく、例えば、住宅等の建物の床と柱に適用してもよい。
【図面の簡単な説明】
【００６９】
【図１】本発明に係る柱の支持構造の一例を示すもので、その支持構造備えたデッキとフェンスを示す側断面図である。
【図２】同、支持構造の要部を示す側断面図である。
【図３】同、固定部材の一例を示すもので、（ａ）は平面図、（ｂ）は正面図、（ｃ）は側面図である。
【図４】同、固定部材の一例を示す斜視図である。
【図５】同、固定部材の他の例を示す斜視図である。
【図６】同、支持構造の要部を示す分解斜視図である。
【図７】同、連結プレートの一例を示すもので、（ａ）は平面図、（ｂ）は正面図、（ｃ）は側面図である。
【図８】同、連結プレートの一例を示す斜視図である。
【図９】同、連結プレートの他の例を示す斜視図であり、（ａ）は上方から見た斜視図、（ｂ）は下方から見た斜視図である。
【符号の説明】
【００７０】
１  デッキ（床）
１ａ  中空部
４  大引（水平支持部材）
７  柱
１０  柱本体
１１  固定部材
１１ｃ  ボルト（貫通部材）
１５，２０  連結プレート
１５ａ  水平板部
１５ｂ  垂直板部
１５ｃ  長穴
１５ｅ  補強板部
【図１】
2005023746.tif 000003
【図２】
2005023746.tif 000004
【図３】
2005023746.tif 000005
【図４】
2005023746.tif 000006
【図５】
2005023746.tif 000007
【図６】
2005023746.tif 000008
【図７】
2005023746.tif 000009
【図８】
2005023746.tif 000010
【図９】
2005023746.tif 000011